【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
外部から非接触で情報の記憶、読出しが可能な無線情報記憶媒体であって、
シート状の基材と、
この基材の上に設けられ、電子的に情報を記憶する記憶手段と、外部と通信を行なうためのアンテナと、このアンテナを介して外部と通信を行なうことにより、前記記憶手段に対して情報の記憶、読出しを行なう無線送受信手段とからなる無線情報記憶部と、
前記基材の上に設けられ、可視画像が記録される画像記録部と、
を具備したことを特徴とする無線情報記憶媒体。
【請求項２】
前記無線情報記憶部および前記画像記録部は前記基材の同一面に設けられていることを特徴とする請求項１記載の無線情報記憶媒体。
【請求項３】
前記無線情報記憶部は前記基材の一方の面に設けられ、前記画像記録部は前記基材の他方の面に設けられていることを特徴とする請求項１記載の無線情報記憶媒体。
【請求項４】
外部から非接触で情報の記憶、読出しが可能な無線情報記憶媒体であって、
シート状の第１の基材と、
この第１の基材の一方の面周辺部に設けられ、外部と通信を行なうためのアンテナと、
前記第１の基材の一方の面端部に設けられ、電子的に情報を記憶する記憶手段と、前記アンテナを介して外部と通信を行なうことにより、前記記憶手段に対して情報の記憶、読出しを行なう無線送受信手段とからなる無線情報記憶素子と、
この無線情報記憶素子および前記アンテナが設けられている前記第１の基材の一方の面に対して一方の面が貼り合わされたシート状の第２の基材と、
この第２の基材の他方の面に設けられ、可視画像が記録される画像記録部と、
を具備したことを特徴とする無線情報記憶媒体。
【請求項５】
外部から非接触で情報の記憶、読出しが可能な無線情報記憶媒体であって、
シート状の第１の基材と、
この第１の基材の一方の面周辺部に設けられ、外部と通信を行なうためのアンテナと、
前記第１の基材の一方の面端部に設けられ、電子的に情報を記憶する記憶手段と、前記アンテナを介して外部と通信を行なうことにより、前記記憶手段に対して情報の記憶、読出しを行なう無線送受信手段とからなる無線情報記憶素子と、
この無線情報記憶素子および前記アンテナが設けられている前記第１の基材の一方の面に対して一方の面が貼り合わされたシート状の第２の基材と、
この第２の基材の他方の面、あるいは、前記第１の基材の他方の面に対して一方の面が貼り合わされた第３の基材と、
この第３の基材の他方の面に設けられ、可視画像が記録される画像記録部と、
を具備したことを特徴とする無線情報記憶媒体。
【請求項６】
外部から非接触で情報の記憶、読出しが可能な無線情報記憶媒体であって、
電子的に情報を記憶する記憶手段と、外部と通信を行なうためのアンテナと、このアンテナを介して外部と通信を行なうことにより、前記記憶手段に対して情報の記憶、読出しを行なう無線送受信手段とからなり、中心部に貫通孔を有した円形状の無線情報記憶部と、
この無線情報記憶部よりも大きなサイズでシート状に形成され、かつ、所定の位置に貫通孔を有し、この貫通孔と前記無線情報記憶部の貫通孔とが重なるように前記無線情報記憶部が貼り合わされる、可視画像が記録される画像記録部と、
を具備したことを特徴とする無線情報記憶媒体。
【請求項７】
前記画像記録部の貫通孔は前記画像記録部の端部に設けられていることを特徴とする請求項６記載の無線情報記憶媒体。
【請求項８】
外部から非接触で情報の記憶、読出しが可能な無線情報記憶媒体であって、
電子的に情報を記憶する記憶手段と、外部と通信を行なうためのアンテナと、このアンテナを介して外部と通信を行なうことにより、前記記憶手段に対して情報の記憶、読出しを行なう無線送受信手段とからなり、中心部に貫通孔を有した円形状の無線情報記憶部と、
この無線情報記憶部よりも大きなサイズでシート状に形成され、かつ、所定の位置に貫通孔を有し、この貫通孔と前記無線情報記憶部の貫通孔とが重なるように一方の面に前記無線情報記憶部が貼り合わされる基材と、
この基材の他方の面に設けられ、前記基材の貫通孔と重なる貫通孔を有し、可視画像が記録される画像記録部と、
を具備したことを特徴とする無線情報記憶媒体。
【請求項９】
前記基材の貫通孔は前記基材の端部に設けられていることを特徴とする請求項８記載の無線情報記憶媒体。
【手続補正２】
【補正対象書類名】明細書
【補正対象項目名】００１５
【補正方法】変更
【補正の内容】
【００１５】
【課題を解決するための手段】
本発明の無線情報記憶媒体は、外部から非接触で情報の記憶、読出しが可能な無線情報記憶媒体であって、シート状の基材と、この基材の上に設けられ、電子的に情報を記憶する記憶手段と、外部と通信を行なうためのアンテナと、このアンテナを介して外部と通信を行なうことにより、前記記憶手段に対して情報の記憶、読出しを行なう無線送受信手段とからなる無線情報記憶部と、前記基材の上に設けられ、可視画像が記録される画像記録部とを具備している。
【手続補正３】
【補正対象書類名】明細書
【補正対象項目名】００１６
【補正方法】変更
【補正の内容】
【００１６】
また、本発明の無線情報記憶媒体は、外部から非接触で情報の記憶、読出しが可能な無線情報記憶媒体であって、シート状の第１の基材と、この第１の基材の一方の面周辺部に設けられ、外部と通信を行なうためのアンテナと、前記第１の基材の一方の面端部に設けられ、電子的に情報を記憶する記憶手段と、前記アンテナを介して外部と通信を行なうことにより、前記記憶手段に対して情報の記憶、読出しを行なう無線送受信手段とからなる無線情報記憶素子と、この無線情報記憶素子および前記アンテナが設けられている前記第１の基材の一方の面に対して一方の面が貼り合わされたシート状の第２の基材と、この第２の基材の他方の面に設けられ、可視画像が記録される画像記録部とを具備している。
【手続補正４】
【補正対象書類名】明細書
【補正対象項目名】００１７
【補正方法】変更
【補正の内容】
【００１７】
また、本発明の無線情報記憶媒体は、外部から非接触で情報の記憶、読出しが可能な無線情報記憶媒体であって、シート状の第１の基材と、この第１の基材の一方の面周辺部に設けられ、外部と通信を行なうためのアンテナと、前記第１の基材の一方の面端部に設けられ、電子的に情報を記憶する記憶手段と、前記アンテナを介して外部と通信を行なうことにより、前記記憶手段に対して情報の記憶、読出しを行なう無線送受信手段とからなる無線情報記憶素子と、この無線情報記憶素子および前記アンテナが設けられている前記第１の基材の一方の面に対して一方の面が貼り合わされたシート状の第２の基材と、この第２の基材の他方の面、あるいは、前記第１の基材の他方の面に対して一方の面が貼り合わされた第３の基材と、この第３の基材の他方の面に設けられ、可視画像が記録される画像記録部とを具備している。
【手続補正５】
【補正対象書類名】明細書
【補正対象項目名】００１８
【補正方法】変更
【補正の内容】
【００１８】
また、本発明の無線情報記憶媒体は、外部から非接触で情報の記憶、読出しが可能な無線情報記憶媒体であって、電子的に情報を記憶する記憶手段と、外部と通信を行なうためのアンテナと、このアンテナを介して外部と通信を行なうことにより、前記記憶手段に対して情報の記憶、読出しを行なう無線送受信手段とからなり、中心部に貫通孔を有した円形状の無線情報記憶部と、この無線情報記憶部よりも大きなサイズでシート状に形成され、かつ、所定の位置に貫通孔を有し、この貫通孔と前記無線情報記憶部の貫通孔とが重なるように前記無線情報記憶部が貼り合わされる、可視画像が記録される画像記録部とを具備している。
【手続補正６】
【補正対象書類名】明細書
【補正対象項目名】００１９
【補正方法】変更
【補正の内容】
【００１９】
さらに、本発明の無線情報記憶媒体は、外部から非接触で情報の記憶、読出しが可能な無線情報記憶媒体であって、電子的に情報を記憶する記憶手段と、外部と通信を行なうためのアンテナと、このアンテナを介して外部と通信を行なうことにより、前記記憶手段に対して情報の記憶、読出しを行なう無線送受信手段とからなり、中心部に貫通孔を有した円形状の無線情報記憶部と、この無線情報記憶部よりも大きなサイズでシート状に形成され、かつ、所定の位置に貫通孔を有し、この貫通孔と前記無線情報記憶部の貫通孔とが重なるように一方の面に前記無線情報記憶部が貼り合わされる基材と、この基材の他方の面に設けられ、前記基材の貫通孔と重なる貫通孔を有し、可視画像が記録される画像記録部とを具備している。